(57)【要約】【課題】  従来の紙製棺が有する軽くて燃焼し易く、火葬した後に金具等の異物が残らないと言う利点を備えつつ、且つ、堅牢な棺に容易に組み立てることができ、また、種々の儀式にも対応することができる棺を提供すること。【解決手段】  上部が開口した箱状の棺本体２と、その開口に被せる蓋体３とからなる棺において、前記棺本体２および蓋体３が、複数の中空部１２を有する圧縮繊維パネル２０により構成されていると共に、該圧縮繊維パネル２０の組み立てが、前記複数の中空部の内、接合部に位置する中空部に合成樹脂Ｐが充填され、該合成樹脂Ｐが充填された中空部１２において木製釘Ｔを打ち込むことにより成されている圧縮繊維パネル製棺１とした。【選択図】        図１２
2005278923.tif 000002
【特許請求の範囲】
【請求項１】
上部が開口した箱状の棺本体と、その開口に被せる蓋体とからなる棺において、前記棺本体および蓋体が、複数の中空部を有する圧縮繊維パネルにより構成されていると共に、該圧縮繊維パネルの組み立てが、前記複数の中空部の内、接合部に位置する中空部に合成樹脂が充填され、該合成樹脂が充填された中空部において焼失する接合手段を打ち込むことにより成されていることを特徴とする、圧縮繊維パネル製棺。
【請求項２】
上記複数の中空部を有する圧縮繊維パネルが、複数のセル壁により画成された中空部と、該中空部の一方の開口部を覆う連続的な平板と、他方の開口部の一部を覆うフランジとが緻密な圧縮繊維により一体成形されたパネルの積層接着品であることを特徴とする、請求項１に記載の圧縮繊維パネル製棺。
【請求項３】
上記焼失する接合手段が、木製釘或いは樹脂製釘であることを特徴とする、請求項１または２に記載の圧縮繊維パネル製棺。
【請求項４】
上記圧縮繊維パネルにより構成された棺本体および蓋体の表面に、合成樹脂塗装が施されていることを特徴とする、請求項１、２または３に記載の圧縮繊維パネル製棺。
【発明の詳細な説明】
【技術分野】
【０００１】
本発明は、遺体を納めて葬る棺に関し、詳しくは、複数の中空部を有する圧縮繊維パネルにより構成された圧縮繊維パネル製棺に関するものである。
【背景技術】
【０００２】
棺は、通常、上部が開口した細長い箱状の棺本体と、その開口に被せる蓋体とから成り、その棺本体および蓋体の両者が、厚手の木材で構成されているのが一般的である。
【０００３】
そして、棺は、告別式が終了すると霊柩車に運び入れられ、火葬場に到着すると霊柩車から運び出されて遺体と共に火葬されることとなるが、棺を運ぶ作業は、遺族や専門業者が棺の底面に手を掛けて棺を支え持つことによって行われるが、厚手の木材でできた棺はかなりの重量物となり、その棺の持ち運びは容易なものではなく、また、火葬に際しても燃えにくく、遺骨収集のための待ち時間が長くなるという弊害があった。
【０００４】
また、従来の棺は、木の板材を釘等の金具を使用して組み立てているため、火葬後の遺骨収集時に焦げた金具が残り、厳粛な雰囲気がそがれるだけではなく、遺骨の収集がしにくいと言ういう弊害もあった。
【０００５】
そこで、近年においては、軽量で燃焼し易く、また釘等の金具を使用することなく接合できる段ボール、厚紙等の紙を使用した紙製棺が種々開発されている（例えば、特許文献１乃至３等）。
【０００６】
【特許文献１】実開平５−６５３２６号公報
【特許文献２】実用新案登録第３０３６０２７号公報
【特許文献３】特許第３２４７２２７号公報
【発明の開示】
【発明が解決しようとする課題】
【０００７】
しかしながら、上述した従来の紙製棺は、段ボール、厚紙等を複数枚積層することにより強度を持たせ、これを接着剤により接着することにより組み立てたものが一般的であり、木製のものに匹敵する堅牢な紙製棺を得ようとすると、紙の使用量が増え、また製造工程が複雑となることからコスト高となる憂いがあった。また、災害時等の緊急に多くの棺が必要となる場合に、釘等で容易に堅牢な棺に組み立てることができる木製棺に比して、接着剤による貼り付けで組み立てる紙製棺はその製作に時間を要し、緊急時に対応できるものではなかった。
【０００８】
また、儀式として、葬儀が終わり出棺をするときに、会葬者、特に遺族、近親者等が故人と最後の別れをするために祭壇から棺を下ろし、蓋体を開けて棺本体の中に横たわる故人と最後の対面を行い、その後、故人に近い遺族から順に石を使って釘を打ち付けることにより棺本体を蓋体で閉じて固定することが成されているが、このような儀式は、釘を打ち付けることのできない従来の紙製棺では、到底行なうことができなかった。
【０００９】
また、湯灌と言う儀式を行なう場合がある。この儀式は、単に故人の体を拭くだけではなく、お湯に入れて体を洗い清めるものであるが、やはり、水に弱い従来の紙製棺の場合には、別途、専用の浴槽を持つ専門業者に頼む必要が生じ、容易に行なうことができる儀式ではなかった。
【００１０】
そこで、本発明が解決しようとする課題は、従来の紙製棺が有する軽くて燃焼し易く、火葬した後に金具等の異物が残らないと言う利点を備えつつ、且つ、堅牢な棺に容易に組み立てることができ、また、上記した種々の儀式にも対応することができる棺を提供することにある。
【課題を解決するための手段】
【００１１】
上述した課題を解決するため、請求項１の本発明では、上部が開口した箱状の棺本体と、その開口に被せる蓋体とからなる棺において、前記棺本体および蓋体が、複数の中空部を有する圧縮繊維パネルにより構成されていると共に、該圧縮繊維パネルの組み立てが、前記複数の中空部の内、接合部に位置する中空部に合成樹脂が充填され、該合成樹脂が充填された中空部において焼失する接合手段を打ち込むことにより成されている圧縮繊維パネル製棺とした。
【００１２】
また、請求項２の本発明では、上記請求項１の発明において、棺本体および蓋体を構成する上記複数の中空部を有する圧縮繊維パネルを、複数のセル壁により画成された中空部と、該中空部の一方の開口部を覆う連続的な平板と、他方の開口部の一部を覆うフランジとが緻密な圧縮繊維により一体成形されたパネルの積層接着品とした。
【００１３】
更に、請求項３の本発明では、上記請求項１または２の発明において、圧縮繊維パネルを組み立てる上記焼失する接合手段を、木製釘或いは樹脂製釘とした。
【００１４】
また、請求項４の本発明では、上記請求項１、２または３の発明において、圧縮繊維パネルにより構成された上記棺本体および蓋体の表面に、合成樹脂塗装を施すこととした。
【発明の効果】
【００１５】
上記した請求項１の本発明に係る圧縮繊維パネル製棺によれば、復元力に富む合成樹脂を接合部に位置する中空部に充填し、該合成樹脂が充填された中空部において焼失する接合手段を打ち込むことにより圧縮繊維パネルを組み立てる構成としたため、圧縮繊維パネルを木材と同様に容易に堅牢な棺に組み立てることができ、また、合成樹脂の充填は接合部に位置する中空部のみに行なえば良いため、圧縮繊維パネルの軽量性は損なわれず、軽くて燃焼し易く、且つ火葬した後に金具等の異物が残らないと言う利点を備えた棺を提供することができる。
【００１６】
また、上記した請求項２の本発明に係る圧縮繊維パネル製棺によれば、複数の中空部を有する圧縮繊維パネルを、複数のセル壁により画成された中空部と、該中空部の一方の開口部を覆う連続的な平板と、他方の開口部の一部を覆うフランジとが緻密な圧縮繊維により一体成形されたパネルの積層接着品としたため、軽量であると共に高強度のパネルとなり、より堅牢な棺を提供することができる。
【００１７】
更に、上記した請求項３の本発明に係る圧縮繊維パネル製棺によれば、圧縮繊維パネルを組み立てる上記焼失する接合手段を、木製釘或いは樹脂製釘としたため、例えば、故人と最後の対面を行い、その後石を使って該木製釘或いは樹脂製釘を打ち付けることにより棺本体を蓋体で閉じて固定すると言う儀式を行なうことができる。
【００１８】
また、上記した請求項４の本発明に係る圧縮繊維パネル製棺によれば、圧縮繊維パネルにより構成された上記棺本体および蓋体の表面に、合成樹脂塗装を施すこととしたため、棺の防汚性、耐水性および耐湿摩耗性が向上し、汚れ、水、更には拭き取りに対して強い棺となり、例えば、お湯を入れて故人の体を洗い清める湯灌の儀式を行なう浴槽を兼ねた棺を提供することができる。
【発明を実施するための最良の形態】
【００１９】
以下に、上記した本発明に係る圧縮繊維パネル製棺の好適な実施の形態を、図面等を参照しながら詳細に説明する。
【００２０】
図１は、本発明に係る圧縮繊維パネル製棺の全体を示した斜視図であり、この棺１は、箱状の棺本体２と、該棺本体２の開口に被せる蓋体３とから構成されている。
【００２１】
上記棺本体２は、前後の端板４，５と、左右の側板６，７と、底板８を備え、上部が開口した箱状をなし、内部に遺体を収納し得る大きさに形成されている。また、蓋体３は、上記棺本体２の開口を塞ぐ長方形状に形成されている。
そして、棺本体２および蓋体３の適所には、図示したように蓮の絵９等が描かれ、その表面に合成樹脂塗装が施されている。
【００２２】
上記棺１において、棺本体２の各面、つまり前後の端板４，５、左右の側板６，７、底板８、および蓋体３は、圧縮繊維パネルにより構成されている。
【００２３】
この本発明に係る棺１において使用される圧縮繊維パネルは、例えば、図２に示したように、木材繊維、再生紙等の原料Ｋを、複数のエラストマーパッド５１が配設された型枠５０上に打設し、加熱下において垂直方向の圧力を加えることにより原料Ｋを加熱圧縮成形して形成したものが好ましい。
なお、図２中、５２は上記エラストマーパッド５１が固定された多孔性キャリア、５３は上記エラストマーパッド５１の圧縮量を規制するプレスストッパである。
【００２４】
このようにして得られた圧縮繊維パネル１０は、図３および図４に示したように、セル壁１１により画成された複数の中空部１２と、該中空部１２の一方の開口部を覆う連続的な平板１３と、他方の開口部の一部を覆うフランジ１４とが、緻密な圧縮繊維により一体成形されたパネルとなる。
【００２５】
そして、上記図３および図４に示したパネル１０を２枚、その開口部の一部を覆うフランジ１４，１４同士の部分で接着し、図５および図６に示したように、内部にセル壁１１により画成された複数の中空部１２を有する、両側板面が閉塞した圧縮繊維パネル２０を形成する。
なお、更に丈夫なパネルとするため、図７に示したように、３枚のパネル１０を積層接着し、両側板面が閉塞した圧縮繊維パネル２０としてもよい。
【００２６】
上記した圧縮繊維パネル２０を用い、本発明に係る棺１を組み立てるにあたっては、先ず、図８に示したように、棺本体２の前後の端板４，５、左右の側板６，７、底板８、および蓋体３を構成する各部材を、圧縮繊維パネル２０から切り出す。
【００２７】
そして、切り出した各部材の端部に、厚紙２１等を貼着し、内部に存在する中空部１２を塞ぐと共に、部材同士が当接する適所を切り欠き、接合代２２を形成する。続いて、図９および図１０に示したように、接合部に位置する中空部１２に合成樹脂Ｐを充填する。この合成樹脂Ｐを中空部１２に充填する方法としては、例えば、接合部に位置する中空部１２に連通する小さな孔２３を穿設し、該孔２３を利用して、例えばホットメルト接着剤塗布器等を利用し、溶融した合成樹脂Ｐを中空部１２内に圧入する方法が挙げられる。
【００２８】
充填する合成樹脂Ｐとしては、加熱により可塑性が現れて自由に変形できるようになる熱可塑性樹脂が好ましく、例えば、ポリ酢酸ビニル、ポリメタクリル酸メチル、ポリスチロール、アセチル・セルロースなどを挙げることができ、また、これらの熱可塑性樹脂を主原料とした接着剤であってもよい。
【００２９】
このようにして中空部１２内に充填された合成樹脂Ｐは、中空部１２の形状に沿い、且つ中空部１２を画成するセル壁１１に密着した状態で冷却硬化する。
そして、中空部１２内において半硬化状態と成った時点において、該合成樹脂Ｐが充填された中空部１２において、図１１に示したように、該圧縮繊維パネル２０，２０同士を木製釘Ｔを打ち込むことにより接合する。
【００３０】
木製釘Ｔとしては、和家具や細工物に使用されている、「うつぎ」や「つげ」等を楔状に削り、煎って硬くしたものを使用できる。また、木製釘Ｔに変えて、やはり燃焼により焼失する樹脂製釘を用いることもできる。
【００３１】
上記のようにして接合された圧縮繊維パネル２０は、復元力に富む合成樹脂Ｐによって、木材の場合と同様に打ち込まれた木製釘Ｔが強固に挟持され、強固な接合が容易に実現できる。また、合成樹脂Ｐの充填は、接合部に位置する中空部１２のみに行なえばよいため、圧縮繊維パネル２０の軽量性を損なうこともない。
【００３２】
上記の圧縮繊維パネル２０，２０同士の接合方法により、棺本体２を構成する前後の端板４，５、左右の側板６，７および底板８の各部材を組み立て、棺本体２を形成する。
【００３３】
組み立てた棺本体２と蓋体３との接合は、葬儀の後に故人と最後の対面を行い、その後遺族等が石を使って釘を打ち付けることにより棺本体２を蓋体３で閉じて固定すると言う儀式を行なうことができるように、棺本体２の開口端縁の適所、及び蓋体３の周縁の適所に位置する中空部１２に、上記と同様の方法によって予め合成樹脂Ｐを充填しておき、該合成樹脂Ｐが充填された中空部１２において、該棺本体２と蓋体３とを木製釘Ｔを打ち込むことにより接合する。
【００３４】
なお、木製釘Ｔは、鉄製釘に比して強度的に弱く、硬化した合成樹脂Ｐへの打ち込みは容易ではないこと、また合成樹脂Ｐが充填された中空部１２が外部からは容易に分からないことから、図１および図１２に示したように、接合するために打ち込む木製釘Ｔより一回り小さい穴２４を、接合部となる合成樹脂Ｐ等に予め穿設しておき、その位置に木製釘Ｔを打ち込むようにすることが好ましい。
【００３５】
また、組み立てた棺本体２、および該棺本体２の開口を塞ぐ蓋体３の適所に、蓮の絵９等を描き、その表面に合成樹脂塗装を施すことも好ましい。
これは、塗装された合成樹脂層を介して描いた蓮の絵９等が立体的に浮かんで見えることとなり、高級感のある棺を提供できると共に、合成樹脂層が棺本体２および蓋体３の防汚性、耐水性および耐湿摩耗性を向上させる機能を果たし、例えば、お湯を入れて故人の体を洗い清める湯灌の儀式を行なう浴槽としても使用できる棺を提供できるために好ましい。
【００３６】
塗布する合成樹脂としては、強度及び耐水性に優れたアクリル酸エステル系樹脂、ブタジエン・スチレン共重合体、ブタジエン・メチルメタクリレート共重合体、スチレン−アクリル系樹脂等が使用でき、必要に応じてワックスや艶消し剤等の無機粉体をこれらの樹脂に配合して使用することもできる。
【００３７】
以上、本発明に係る圧縮繊維パネル製棺の好適な実施の形態を説明したが、本発明は、何ら既述の実施の形態に限定されず、特許請求の範囲に記載した本発明の技術的思想の範囲内において、種々の変形および変更が可能である。
【００３８】
例えば、上記実施の形態においては、棺本体２および蓋体３を構成する圧縮繊維パネル２０として、木材繊維、再生紙等の天然繊維を加熱圧縮成形したパネルを用いたが、容易に燃焼するプラスチック等の合成繊維を原料として使用した圧縮繊維パネルを使用してもよい。
また、圧縮繊維パネルの製造方法、使用する型枠の構造等は、一例を示したに過ぎず、何ら既述の実施の形態のものに限定されない。
更に、上記実施の形態においては、中空部１２の形状が断面６角形の圧縮繊維パネル２０に付き説明したが、断面３角形、４角形、円形等の中空部を有する圧縮繊維パネルであっても良い。
【００３９】
また、上記実施の形態においては、中空部１２に充填した合成樹脂Ｐが半硬化状態と成った時点において、該合成樹脂Ｐが充填された中空部１２において木製釘Ｔを打ち込むことにより棺本体２を組み立てる構成に付き説明したが、接合部に位置する中空部１２に合成樹脂Ｐを充填した後、組み立てることなく平板の部材状態のままで倉庫等に保管しておき、災害時等の緊急に多くの棺が必要になった場合に、倉庫等から構成部材を運び出して組み立てるようにしてもよい。
但しこの場合、中空部１２に充填した合成樹脂Ｐは既に硬化し、容易に木製釘Ｔを打ち込むことはできないため、棺本体２と蓋体３との接合において既に説明したように、予め打ち込む木製釘Ｔより一回り小さい穴を接合部となる合成樹脂Ｐ等に穿設しておくことが好ましい。
【図面の簡単な説明】
【００４０】
【図１】本発明に係る圧縮繊維パネル製棺の全体を示した斜視図である。
【図２】本発明において使用する圧縮繊維パネルの製造工程中の加熱圧縮工程の一例を概念的に示した断面図である。
【図３】本発明において使用する圧縮繊維パネルの一例を示した斜視図である。
【図４】図３に示した圧縮繊維パネルの側面図である。
【図５】図３に示した圧縮繊維パネルを２枚積層接着したパネルを示した斜視図である。
【図６】図５に示した圧縮繊維パネルの側面図である。
【図７】図３に示した圧縮繊維パネルを３枚積層接着したパネルを示した側面図である。
【図８】図５に示した圧縮繊維パネルから棺の構成部材を切り出した状態を示した斜視図である。
【図９】圧縮繊維パネルの中空部に合成樹脂を充填した状態を示した斜視図である。
【図１０】図９のＡ−Ａ線に沿う部分の断面図である。
【図１１】圧縮繊維パネル同士の接合構造を示した断面図である。
【図１２】棺本体と蓋体との接合構造を示した断面図である。
【符号の説明】
【００４１】
１  棺
２  棺本体
３  蓋体
４，５  端板
６，７  側板
８  底板
９  蓮の絵
１０  圧縮繊維パネル
１１  セル壁
１２  中空部
１３  平板
１４  フランジ
２０  圧縮繊維パネル
２１  厚紙
２２  接合代
２３  合成樹脂を充填する際の孔
２４  打ち込む木製釘より一回り小さい穴
Ｐ    合成樹脂
Ｔ    木製釘
【図１】
2005278923.tif 000003
【図２】
2005278923.tif 000004
【図３】
2005278923.tif 000005
【図４】
2005278923.tif 000006
【図５】
2005278923.tif 000007
【図６】
2005278923.tif 000008
【図７】
2005278923.tif 000009
【図８】
2005278923.tif 000010
【図９】
2005278923.tif 000011
【図１０】
2005278923.tif 000012
【図１１】
2005278923.tif 000013
【図１２】
2005278923.tif 000014